(57)【要約】【課題】紐の取り付けを容易に行えると共に取り付けた紐を抜けにくくする係止具を提供する。【解決手段】本発明の一側面に係る係止具は、紐状体を物品に係止する係止具であって、紐状体を挿入するスリット開口部と、スリット開口部に連通し、スリット開口部から挿入した紐状体を保持する紐状体保持部と、を備え、紐状体保持部は、スリット開口部から左右方向に延びており、スリット開口部と対向する紐状体保持部の表面は、平滑であり、紐状体保持部の表面のうち、スリット開口部に隣接する位置には突出部が設けられている。【選択図】図２
2016131644.tif 000002
【特許請求の範囲】
【請求項１】
紐状体を物品に係止する係止具であって、
前記紐状体を挿入するスリット開口部と、
前記スリット開口部に連通し、前記スリット開口部から挿入した前記紐状体を保持する紐状体保持部と、を備え、
前記紐状体保持部は、前記スリット開口部から左右方向に延びており、
前記スリット開口部と対向する前記紐状体保持部の表面は、平滑であり、
前記紐状体保持部の表面のうち、前記スリット開口部に隣接する位置には突出部が設けられている、
係止具。
【請求項２】
前記紐状体保持部の表面には、更に凸部が設けられている、
請求項１に記載の係止具。
【請求項３】
前記突出部の高さは、前記凸部の高さよりも高い、
請求項２に記載の係止具。
【請求項４】
前記係止具は、
前記物品に固定される固定部を有し、
前記固定部により前記係止具が前記物品に固定されたとき、前記スリット開口部及び前記紐状体保持部が前記物品から離間する形状を有する、
請求項１〜３のいずれか一項に記載の係止具。
【請求項５】
前記スリット開口部は、紐状体挿入部と紐状体案内部とを有し、
前記紐状体案内部の幅は、前記紐状体保持部の幅よりも狭い、
請求項１〜４のいずれか一項に記載の係止具。
【請求項６】
請求項１〜５のいずれか一項に記載の係止具を備える、
物品。
【請求項７】
前記物品は、マスクである、
請求項６に記載の物品。
【発明の詳細な説明】
【技術分野】
【０００１】
本発明の一側面は、係止具、及びその係止具を備える物品に関する。
【背景技術】
【０００２】
従来から、物品に紐状体を係止させる係止具が知られている。
【０００３】
下記特許文献１は、マスクに締め紐を係止させる締め紐長さ調整具を記載する。特許文献１には、「マスクの締め紐長さ調整具は、板状の本体部を備え、該本体部に、所定の幅、所定の厚さを有し、弾性変形可能な締め紐を導入する導入孔と、該導入孔に右端が連通し、前記導入孔内の前記締め紐を第１の係止スリットへ案内する横方向へ延びた第１の案内スリットと、前記導入孔に左端が連通し、前記導入孔内の前記締め紐を第２の係止スリットへ案内する横方向へ延びた第２の案内スリットと、前記第１の案内スリットの左端に縦方向の中間部分が連通し、前記第１の案内スリットからの前記締め紐を係止する縦方向へ延びた前記第１の係止スリットと、前記第２の案内スリットの右端に縦方向の中間部分が連通し、前記第２の案内スリットからの前記締め紐を係止する縦方向へ延びた前記第２の係止スリットとが設けられている」との記載がある。
【先行技術文献】
【特許文献】
【０００４】
【特許文献１】特開２０１１−２５１０８５号公報
【発明の概要】
【発明が解決しようとする課題】
【０００５】
紐状体を物品に係止させる係止具では、係止させた紐状体を物品に確実に取り付けて紐状体を物品から抜けにくくすることが求められる。しかしながら、一般に、紐状体を確実に取り付けることができる係止具は、紐状体が物品から抜けにくい反面、紐状体の取り付けが複雑且つ面倒であるという事情がある。一方、紐状体の取り付けを容易に行える係止具は、紐状体を簡単に取り付けられる反面、取り付けた紐状体が物品から抜けやすいという事情がある。
【０００６】
本発明の一側面は、紐状体の取り付けが容易に行えると共に、取り付けた紐状体が抜けにくくなる係止具、及び係止具を備える物品を提供することを目的とする。
【課題を解決するための手段】
【０００７】
本発明の一形態に係る係止具は、紐状体を物品に係止する係止具であって、紐状体を挿入するスリット開口部と、スリット開口部に連通し、スリット開口部から挿入した紐状体を保持する紐状体保持部と、を備え、紐状体保持部は、スリット開口部から左右方向に延びており、スリット開口部と対向する紐状体保持部の表面は、平滑であり、紐状体保持部の表面のうち、スリット開口部に隣接する位置には突出部が設けられている。
【発明の効果】
【０００８】
本発明の一形態によれば、紐状体の取り付けが容易に行えると共に、取り付けた紐状体が抜けにくくなる。
【図面の簡単な説明】
【０００９】
【図１】実施形態に係る物品の一例であるマスクの着用状態を示す斜視図である。
【図２】（ａ）及び（ｂ）は、実施形態に係る係止具を示す図である。
【図３】（ａ）はスリット開口部及び紐状体保持部の例を示す図である。（ｂ）はスリット開口部と紐状体保持部とが連通する箇所を拡大させた図である。
【図４】紐状体保持部の例を示す図である。
【図５】紐状体保持部の例を示す図である。
【図６】（ａ），（ｂ），（ｃ）及び（ｄ）は、スリット開口部から紐状体保持部に紐状体を通して係止具に紐状体を取り付ける状態を示す図である。
【発明を実施するための形態】
【００１０】
以下、添付図面を参照しながら本発明を実施するための形態を詳細に説明する。図面の説明において同一又は同等の要素には同一の符号を付し、重複する説明を省略する。
【００１１】
実施形態に係る係止具及び物品の構造を説明する。まず、本明細書における用語「紐状体」は、一般的な意味で用いられる紐を含んでおり、物を保持したり束ねたり巻き付けたりする細長い物体を意味している。本明細書では、紐状体が延びる方向に直交する面で紐状体を切断したときの断面形状が長方形状であり、一定の幅を有する平たい紐状体を例示するが、紐状体の断面形状はこれに限定されない。例えば、紐状体の断面形状は、円形又は楕円形等であってもよい。
【００１２】
本明細書における用語「係止」は、紐状体を被係止部材に取り付けることを示している。「係止」は、紐状体を被係止部材に固定することだけでなく、紐状体を被係止部材に移動可能に取り付けることを含む。例えば、紐状体を被係止部材に取り付けた後に、被係止部材から延びる紐状体の長さが調整可能（調節可能）となるように、紐状体を被係止部材に取り付けることも「係止」に含まれる。
【００１３】
本明細書における「物品」は、紐状体が係止される種々の被係止部材を示しており、例えば、マスク又はゴーグル等、紐状体を有する保護具である。しかし、「物品」は、前述の保護具でなくてもよく、「物品」の種類は多岐にわたる。
【００１４】
「係止具」は、紐状体を物品（被係止部材）に係止させる部品又は部分を示しており、例えば、物品への紐状体の取り付け等の用途で用いられる。具体的には、マスク又はゴーグル本体等の保護具への紐状体の取り付け等の用途が挙げられる。但し、この「係止具」の用途は上記保護具に限定されない。また、「係止具」には、紐状体を物品に固定させるものだけでなく、紐状体を物品に対して移動可能に取り付けるものが含まれる。例えば、紐状体を物品に対して、物品から延びる紐状体の長さが調整可能（調節可能）となるように取り付けるものも「係止具」に含まれる。
【００１５】
図１は、物品の一例として、着用者Ｍによる着用のフィッティング及び調節を容易に行えるマスク１を示している。マスク１は、様々な着用者Ｍに対応するように簡単に調節され、安全性を高める確実かつ快適なフィット感をもたらす。マスク１は、帯電マイクロファイバー、具体的にはメルトブロウンマイクロファイバー（ＢＭＦ）の絡合ウェブを含むことが多い。マスク１は、本願と同一出願人による米国特許第７，０２８，６８９号に記載されているものと類似の濾過フェイスマスクであってもよい。
【００１６】
マスク１はカップ状のマスク本体２を有する。「マスク本体」は、例えば着用者Ｍの口及び鼻を覆う部分を示しており、外部気体空間と内部気体空間とを分離して画定する通気性の構造体を意味する。また、「カップ状」とは、着用者Ｍの鼻及び口を覆うことが可能な容器型の形状を意味する。マスク１は、保護又は衛生目的で、着用者Ｍの顔の全部又は一部を覆うことができる。また、マスク１は、チェン（Chen）らの米国意匠特許第４４３，９２７号に開示されている平らに二つ折りされるマスクのような数多くのその他の形態であってもよい。
【００１７】
マスク本体２は、米国特許第５，０６２，４２１号に示されているマスクのようにフィルターカートリッジを有することもできる。それに加えて、マスク本体２を、正圧空気取入れ口と共に用いるように適応させることもできる。正圧マスクの例は、グラニス（Grannis）らの米国特許第５，９２４，４２０号、及びブラウン（Braun）らの同第４，７９０，３０６号に示されている。マスク本体２は、着用者Ｍの鼻と口のみを覆う（このようなマスクは「ハーフマスク」という）だけでなく、着用者Ｍの呼吸器系に加えて着用者Ｍの視覚も保護するために目も覆う（このようなマスクは「フルフェイスマスク」という）ように構成されてもよい（例えばライシェル（Reischel）らの米国特許第５，９２４，４２０号を参照のこと）。マスク本体２は、着用者Ｍの顔から隔置してもよく、あるいは、着用者Ｍの顔とぴったり重なるか又はごく近接した位置にあってもよい。マスク本体２は、その周辺部に示温性のフィット表示シールを有して、適切なフィットが確立されているか否かを着用者Ｍが容易に確認できるようにすることができる（スプリンゲット（Springett）らの米国特許第５，６１７，８４９号を参照のこと）。
【００１８】
また、マスク本体２は、着用者Ｍの顔とマスク本体２の内面との間に内部気体空間又は空隙を作り出すように着用者Ｍの顔と間隔を置いた関係で、着用者Ｍの鼻及び口の上にフィットするように適合されている。図１に示されているタイプのマスク本体２では、本質的にマスク本体２の露出面の全体が、吸気に対して流体透過性である。着用者Ｍが吸気すると、空気はマスク本体２を通じて取り込まれ、空中浮遊粒子は、マスク本体２内のフィルターとして用いられる繊維性材料間の隙間に捕捉される。マスク本体２は、湾曲した半球形を有することもできる。しかし、マスク本体２は、最終用途に応じて、本質的にいかなる適切な形状を取ることもできる。マスク本体２は、内側成形層及び外側濾過層のような多数の層を含んでもよい。マスク本体２は、カップ状マスクであってもよいが、使用していないときには平らに折り畳むことができ、着用するときにはカップ形状に開くことができる三つ折り構造を有してもよい（ボストック（Bostock）らの米国特許第６，１２３，０７７号、ヘンダーソン（Henderson）らの米国意匠特許第４３１，６４７号、ブライアント（Bryant）らの同第４２４，６８８号を参照のこと）。
【００１９】
マスク本体２内のフィルターとして用いることができる繊維性材料の例は、バウマン（Baumann）らの米国特許第５，７０６，８０４号、ピーターソン（Peterson）の同第４，４１９，９９３号、メイヒュー（Mayhew）の米国再発行特許第２８，１０２号、ジョーンズ（Jones）らの米国特許第５，４７２，４８１号及び同第５，４１１，５７６号、並びにルソー（Rousseau）らの同第５，９０８，５９８号に開示されている。これらの繊維は、ポリプロピレン、及び／又はポリ４−メチル−１−ペンテン（ジョーンズ（Jones）らの米国特許第４，８７４，３９９号、及びデュールド（Dyrud）らの同第６，０５７，２５６号を参照のこと）のようなポリマーを含んでよく、濾過性能を高めるフッ素原子及び／又はその他の添加剤（「フッ素化エレクトレット（Fluorinated Electret）」という名称の米国特許出願公開第０９／１０９，４９７号（国際公開第００／０１７３７号として公開）、並びにクレーター（Crater）らの米国特許第５，０２５，０５２号及び同第５，０９９，０２６号を参照のこと）も含んでよく、性能を高めるための低濃度の抽出性炭化水素を有してもよい（例えばルソー（Rousseau）らの米国特許第６，２１３，１２２号を参照のこと）。繊維性ウェブも、リード（Reed）らの米国特許第４，８７４，３９９号、並びに同第６，２３８，４６６号及び同第６，０６８，７９９号（いずれもルソー（Rousseau）ら）に記載されているように、向上した耐オイルミスト性を有するように作製してよい。
【００２０】
マスク１を着用者Ｍの顔にぴったりと保持するために、マスク本体２には、２本の紐状体３と、紐状体３をマスク本体２に係止する係止具５とが設けられる。紐状体３をマスク本体２に係止する係止具５の個数及び配置としては、種々の態様とすることができ、特に限定されない。例えば、係止具５は、マスク本体２と紐状体３との間に介在するが、紐状体３と別の紐状体３との間に介在してもよく、係止具５が設けられる位置は特に限定されない。また、係止具５の配置態様の一例としては、マスク本体２の隅部に位置する矩形状の縁２ａの外側（着用者Ｍの反対側）に、４個の係止具５が取り付けられている。４個の係止具５のうち２個の係止具５は、着用者Ｍの右側に位置し、残り２個の係止具５は着用者Ｍの左側に位置する。右側に位置する２個の係止具５、及び左側に位置する２個の係止具５は、共に上下一対に設けられる。
【００２１】
紐状体３の配置態様も特に限定されない。例えば、２本の紐状体３のうちの一方は、着用者Ｍの上側且つ右側に位置する係止具５から、着用者Ｍの上側且つ左側に位置する係止具５に延びている。２本の紐状体３のうちの他方は、着用者Ｍの下側且つ右側に位置する係止具５から、着用者Ｍの下側且つ左側に位置する係止具５に延びている。各紐状体３は、２個の係止具５の間で湾曲して延びており、係止具５に対する紐状体３の位置を調整することによって、２個の係止具５の間に位置する紐状体３の長さを調整可能となっている。
【００２２】
紐状体３は、弾性特性を有する可撓性部材であってもよいし、弾性特性を有しない部材であってもよい。紐状体３は、様々な材料で作製することができる。弾性特性を有する部材で構成される紐状体３の典型的な材料としては、イソプレン、ポリイソプレン及び天然ゴム等が挙げられる。その他の典型的な材料としては、スパンデックス（Spandex）（商標）及びネオプレン（Neoprene）（商標）が挙げられる。特定の物質に対するアレルギー反応を有する着用者Ｍには、快適な感触を提供するポリエステルのような布地で編まれた弾性ゴム材でもよい。一方、弾性特性を有しない部材で構成される紐状体３の典型的な材料としては、例えば、ポリプロピレン等のポリオレフィン、ポリエステル、ナイロン、コットン等が挙げられる。紐状体３は、着用者Ｍの所望の位置にマスク本体２を保持して、適切なフィットを実現するのを助ける。
【００２３】
係止具５の材料は、特に限定されないが、例えば熱可塑性樹脂である。この熱可塑性樹脂には、ポリプロピレン、ポリエチレン及びナイロン等が含まれる。係止具５は、例えば射出成形によって製造されるが、プレス加工、レーザ加工又は曲げ加工によって製造されてもよく、係止具５の製造方法については特に限定されない。
【００２４】
係止具５の外観形状も限定されない。係止具５の外観形状の一例としては、図２に示されるように、角が丸みを帯びた直方体状が挙げられる。係止具５の一の面には、例えばマスク本体２の縁２ａに固定される固定部６が設けられる。固定部６の態様は何ら限定されない。例えば、固定部６は、マスク本体２の縁２ａに接触する接触面となっていてもよく、超音波溶着加工又は接着剤等によって、マスク本体２の縁２ａに固定されてもよい。
【００２５】
係止具５の外観形状の一例として、係止具５は、固定部６によりマスク１に固定されたとき、スリット開口部１０及び紐状体保持部２０がマスク１から離間する形状を有する。例えば、図２に示されるように、係止具５は、固定部６から盛り上がる隆起部７を備えることができ、この隆起部７によって、スリット開口部１０及び紐状体保持部２０がマスク１から離間する形状が実現される。本明細書における「スリット開口部」は、スリット状の開口を示しており、「スリット」とは、スリット状の貫通部を含む概念である。本明細書における「紐状体保持部」は、貫通して形成される孔部であり、内部に紐状体を挿通させることによって紐状体を保持する部位を示している。隆起部７の形状としては様々な形状が考えられ、例えば、隆起部７は、係止具５の側面５ａから反対側の側面５ｂに延びる逆Ｕ字状を呈する。
【００２６】
スリット開口部１０は、例えば、係止具５の側面５ａから側面５ａに対向する側面５ｂに向かって幅が狭くなるように形成された紐状体挿入部１１と、紐状体挿入部１１の側面５ｂ側から紐状体保持部２０に向かって延びる紐状体案内部１２とを有する。紐状体挿入部１１の形状及び大きさは、特に限定されない。紐状体挿入部１１の形状の例としては、円弧状又は放物線状等が挙げられる。紐状体案内部１２の態様についても特に限定されず、例えば、紐状体案内部１２の他方の側面５ｂ側の端部に紐状体保持部２０が形成されていてもよい。この場合、紐状体３を係止具５に取り付ける際、例えば、紐状体３は紐状体挿入部１１、紐状体案内部１２及び紐状体保持部２０の順に移動していく。すなわち、図２の例に示されるように、紐状体挿入部１１と紐状体保持部２０との間に、紐状体案内部１２が介在することができる。また、紐状体案内部１２は隆起部７の最も高い部位に形成されていてもよく、紐状体案内部１２及び紐状体保持部２０が設けられる部位は、マスク本体２への係止具５の固定時にマスク本体２から離間してもよい。
【００２７】
紐状体保持部２０の様々な形状を以下に説明する。図３〜図５は、様々な紐状体保持部２０を示している。図３〜５において、紐状体保持部２０は、スリット開口部１０（より具体的には、紐状体案内部１２）から左右方向に延びた形状を呈する。図３〜図５では、係止具５の側面５ａに沿う基準線Ｘ１、紐状体案内部１２が延びる方向に沿う基準線Ｘ２、紐状体案内部１２から左側に延びる紐状体保持部２０に沿う基準線Ｘ３、及び紐状体案内部１２から右側に延びる紐状体保持部２０に沿う基準線Ｘ４が示されている。基準線Ｘ１と基準線Ｘ２とは角度θ１で交差しており、基準線Ｘ３と基準線Ｘ２とは角度θ２で交差しており、基準線Ｘ４と基準線Ｘ２とは角度θ３で交差している。また、図３〜図５では、説明を分かりやすくするために、紐状体保持部２０、及び紐状体保持部２０を構成する各要素の符号を互いに同じものとしている。
【００２８】
図３の例に示される紐状体保持部２０は、紐状体案内部１２から左側に延びる第１保持部２１と、紐状体案内部１２から右側に延びる第２保持部２２とを有する。例えば、図３（ａ）では、基準線Ｘ１と基準線Ｘ２との成す角度θ１が９０°となっているが、角度θ１は９０°でなくてもよい。また、基準線Ｘ２と基準線Ｘ３との成す角度θ２、及び基準線Ｘ２と基準線Ｘ４との成す角度θ３は、図３（ａ）では共に９０°である。しかし、角度θ２及び角度θ３についても、９０°以外の角度とすることが可能である。
【００２９】
第１保持部２１及び第２保持部２２の形状及び大きさは特に限定されない。例えば、図３においては、第１保持部２１と第２保持部２２とは連続した直線状となっており、第１保持部２１と第２保持部２２と紐状体案内部１２とがＴ字状に形成されている。第１保持部２１及び第２保持部２２には、スリット開口部１０から挿入された紐状体３が保持される。また、紐状体保持部２０におけるスリット開口部１０と対向する表面２０ａは、平滑な面となっており、例えば平坦面となっている。
【００３０】
本明細書において、「対向する」とは、二つのものが互いに向き合うことを示しており、「紐状体保持部におけるスリット開口部と対向する表面」とは、紐状体保持部を形成する表面のうち、スリット開口部側を向く面であって、且つスリット開口部から通された紐状体が突き当たる紐状体保持部の面、を示している。また、本明細書において「平滑な面」とは、平坦面又は湾曲面を示しており、紐状体３の流通を妨げる程度に尖った部分、粗い部分又は凹凸部分を有しない滑らかな面を示している。
【００３１】
また、図２に示されるように、紐状体案内部１２の幅Ｌ３は、紐状体保持部２０（第１保持部２１及び第２保持部２２）の幅Ｌ２より狭くてもよい。ここで、紐状体保持部２０の幅Ｌ２は、紐状体保持部２０の最大幅を示しており、具体的に、図２では、紐状体保持部２０の谷部と当該谷部に対面する谷部との距離を示す。ここで、「対面する」とは、紐状体保持部を形成する一の表面が紐状体保持部を形成する他の表面に向き合っている状態を示している。
【００３２】
また、紐状体保持部２０（第１保持部２１及び第２保持部２２）の長さＬ１、及び係止具５の側面５ａから紐状体保持部２０までの距離Ｌ４は、紐状体３の幅Ｂ（図６（ｄ）参照）に応じて設計でき、例えば、長さＬ１又は距離Ｌ４は、紐状体３の幅Ｂより若干長い程度であってもよい。
【００３３】
図３（ａ）及び図３（ｂ）に示されるように、第１保持部２１の表面２１ａにおける紐状体案内部１２との隣接部分、すなわち、紐状体案内部１２から連続して延びる部分には、表面２１ａに対して第１保持部２１の内側に（紐状体案内部１２から表面２０ａの方向に）突出する突出部２１ｂが形成されている。突出部２１ｂの形状は特に限定されないが、例えば、突出部２１ｂは、放物線状又は円弧状である。
【００３４】
また、第１保持部２１の表面２１ａには、凸部２１ｃが形成されていてもよい。第１保持部２１は、互いに対向する２つの表面２１ａを含んでおり、例えば、これら２つの表面２１ａのそれぞれに凸部２１ｃが形成されていてもよい。凸部２１ｃは、突出部２１ｂと干渉しない位置に形成されている。凸部２１ｃの形状及び個数は特に限定されないが、例えば、表面２１ａに複数の凸部２１ｃが一定間隔ごとに形成されており、これにより表面２１ａに山部と谷部とが交互に形成されていてもよい。この場合、表面２１ａにおいて、凸部２１ｃが形成されている部分が山部、凸部２１ｃが形成されていない部分が谷部である。凸部２１ｃの個数は例えば４個である。４個の凸部２１ｃのうち２個の凸部２１ｃは、表面２１ａにおける、突出部２１ｂよりも紐状体案内部１２から遠い位置（突出部２１ｂの左側）に形成されている。残り２個の凸部２１ｃは、例えば、上記２個の凸部２１ｃの対面に形成されている。
【００３５】
凸部２１ｃの高さＨ３は、例えば突出部２１ｂの高さＨ１よりも低くなっている。ここで、凸部２１ｃの高さＨ３とは表面２１ａの谷部と凸部２１ｃの頂部との距離を示しており、突出部２１ｂの高さＨ１とは表面２１ａの谷部と突出部２１ｂの頂部との距離を示している。なお、高さＨ３は高さＨ１より低くなくてもよく、例えば高さＨ３が高さＨ１と同一であってもよい。凸部２１ｃの高さＨ３が突出部２１ｂの高さＨ１よりも低い場合、紐状体３は紐状体案内部１２の隣接部分に位置する突出部２１ｂに引っ掛かって紐状体保持部２０に保持されることになるので、紐状体３は紐状体案内部１２から抜けにくくなる。
【００３６】
第２保持部２２は、例えば第１保持部２１と同様の構成を備えている。すなわち、第２保持部２２の表面２２ａにおける紐状体案内部１２との隣接部分には突出部２２ｂが形成されている。紐状体案内部１２から延びる第２保持部２２の長さは、紐状体案内部１２から延びる第１保持部２１の長さと同一であってもよいし、異なっていてもよい。第２保持部２２の表面２２ａには、凸部２１ｃと同様の凸部２２ｃが形成されている。ここで、凸部２２ｃの高さＨ４とは表面２２ａの谷部と凸部２２ｃの頂部との距離を示しており、突出部２２ｂの高さＨ２とは表面２２ａの谷部と突出部２２ｂの頂部との距離を示している。なお、高さＨ４と高さＨ２の関係について、高さＨ４は高さＨ２より低くなくてもよく、例えば高さＨ４が高さＨ２と同一であってもよい。凸部２２ｃの高さＨ４が突出部２２ｂの高さＨ２よりも低い場合、紐状体３は紐状体案内部１２の隣接部分に位置する突出部２２ｂに引っ掛かり紐状体保持部２０に保持されることになるので、紐状体３は紐状体案内部１２から抜けにくくなる。
【００３７】
図４の例では、基準線Ｘ２と基準線Ｘ３との成す角度θ２、及び基準線Ｘ２と基準線Ｘ４との成す角度θ３が共に鋭角となっている紐状体保持部２０を示す。この紐状体保持部２０では、第１保持部２１と第２保持部２２と紐状体案内部１２とがＹ字状に形成されている。また、紐状体保持部２０における紐状体案内部１２と対向する表面２０ａは、Ｕ字状に緩やかに湾曲した湾曲面となっている。なお、図４では角度θ２と角度θ３との両方が鋭角となっている例を示しているが、角度θ２及び角度θ３のいずれか一方のみが鋭角となっていてもよい。また、表面２０ａが平坦面又は上記とは形状が異なる湾曲面になっていてもよい。
【００３８】
図５の例では、基準線Ｘ２と基準線Ｘ３との成す角度θ２、及び基準線Ｘ２と基準線Ｘ４との成す角度θ３が共に鈍角となっている紐状体保持部２０を示す。この例では、紐状体案内部１２及び紐状体保持部２０が傘状に形成されている。紐状体保持部２０における紐状体案内部１２と対向する表面２０ａは、逆Ｕ字状に緩やかに湾曲した湾曲面となっている。なお、図５では角度θ２と角度θ３との両方が鈍角となっているが、角度θ２及び角度θ３のいずれか一方のみが鈍角となっていてもよい。また、表面２０ａが平坦面又は上記とは形状が異なる湾曲面になっていてもよい。
【００３９】
次に、紐状体３を係止具５に取り付ける方法の例を説明する。以下の例では、図３に示される紐状体保持部２０に紐状体３を保持する。なお、紐状体保持部２０には、種々の紐状体３を保持させることが可能である。以下の例では、紐状体３として、幅Ｂ（図６参照）が紐状体保持部２０の長さＬ１と同程度となっており、且つ厚さＷが紐状体案内部１２の幅Ｌ３より若干厚いものを紐状体保持部２０に保持させる。
【００４０】
まず、図６（ａ）に示されるように、紐状体３の長手方向から紐状体３を見たときの形状が逆Ｕ字状となるように紐状体３を２つに折り曲げ、折り曲げた状態で紐状体３をスリット開口部１０に挿入する。
【００４１】
次に、図６（ｂ）に示されるように、折り曲げた紐状体３を紐状体挿入部１１から紐状体案内部１２に導き、紐状体３を紐状体保持部２０の表面２０ａに突き当てて、更に紐状体３を紐状体保持部２０に向かって押し込む。このとき、紐状体３は、紐状体保持部２０の平滑な表面２０ａに接触し、紐状体３の表面２０ａに接触する部分が表面２０ａから左右方向に広がっていく。
【００４２】
続いて、図６（ｃ）に示されるように、紐状体３を紐状体保持部２０に向かって更に押し込むと、紐状体３の幅方向の一端３ａが紐状体案内部１２から第１保持部２１の方へ入り込み、紐状体３の幅方向の他端３ｂが紐状体案内部１２から第２保持部２２の方へ入り込む。このとき、紐状体３は、全体として丸まったような形状となり、その一部は紐状体保持部２０の平滑な表面２０ａに沿った状態となる。
【００４３】
そして、図６（ｄ）に示されるように、紐状体３を紐状体保持部２０の貫通方向（図６の紙面方向）に移動させると、紐状体３の一端３ａ及び他端３ｂが紐状体案内部１２から離れる方向に移動し、紐状体３が幅方向に真っ直ぐ延びた状態となり、紐状体３は紐状体保持部２０（第１保持部２１及び第２保持部２２）に保持される。この状態において、紐状体３には、第１保持部２１の突出部２１ｂ及び凸部２１ｃが当接すると共に、第２保持部２２の突出部２２ｂ及び凸部２２ｃが当接している。このように、紐状体３の一端３ａ側を第１保持部２１で保持すると共に、紐状体３の他端３ｂ側を第２保持部２２で保持することによって、紐状体３は、紐状体保持部２０に保持されて係止具５に取り付けられる。この状態では、紐状体３を紐状体保持部２０の貫通方向に移動可能となっているので、係止具５から延びる紐状体３の長さを調整可能となり、例えば２個の係止具５の間に位置する紐状体３の長さを調整可能となる。
【００４４】
以上のように係止具５では、紐状体３をスリット開口部１０に挿入し、紐状体３の一端３ａを第１保持部２１に移動させて、紐状体３の他端３ｂを第２保持部２２に移動させるだけで簡単に紐状体３を取り付けることができる。また、平滑な表面２０ａによって、紐状体３は、紐状体案内部１２から左右方向にスムーズに移動するので、紐状体３の取り付けを容易に行うことができる。このため、機械を用いても簡単に紐状体３を係止具５に係止させることが可能となる。従って、実際の製造工程において、単位時間当たりのマスク１の生産個数を増やすことができ、生産性の点で有利である。更に、突出部２１ｂ，２２ｂによって紐状体３が紐状体案内部１２に入り込みにくくなっているため、紐状体３が紐状体案内部１２から抜けにくくなっている。
【００４５】
（実施例）
以下、実施例に基づいて本発明を具体的に説明するが、本発明はそれらに何ら限定されるものではない。
【００４６】
図１、図２及び図６に示されるように、実施例に係る係止具５は、マスク本体２の縁２ａの外側に固定されている。実施例に係る係止具５において、紐状体保持部の長さＬ１は６．４０ｍｍである。また、紐状体保持部の幅Ｌ２（紐状体保持部の谷部間の距離）は０．８０ｍｍ、紐状体保持部の山部間の距離は０．４４ｍｍ、紐状体案内部の幅Ｌ３は０．４０ｍｍである。
【００４７】
実施例に係る紐状体３は、弾性特性を有する可撓性部材であり、紐状体３が延びる方向（長手方向）に紐状体３を引っ張ると厚さＷが薄くなる。実施例に係る紐状体３の幅Ｂは４．６０ｍｍである。また、引っ張っていない状態における紐状体３の厚さＷ１は０．９０ｍｍであり、引っ張った状態における紐状体３の厚さＷ２は０．４０ｍｍである。
【００４８】
以上のように、紐状体保持部の長さＬ１は、紐状体３の幅Ｂより長い。また、引っ張っていない状態における紐状体３の厚さＷ１は、紐状体保持部の幅Ｌ２よりも厚く、紐状体保持部の山部間の距離は、引っ張って薄くした紐状体３の厚さＷ２以上、且つ薄くした紐状体３の厚さＷ２の２倍以下となっている。かかる係止具５を用いた場合、紐状体３の取り付けが容易に行えると共に、取り付けた紐状体３が抜けにくくなることが確認された。
【００４９】
以上で説明したように、本発明の一側面に係る係止具は、紐状体を物品に係止する係止具であって、紐状体を挿入するスリット開口部と、スリット開口部に連通し、スリット開口部から挿入した紐状体を保持する紐状体保持部と、を備え、紐状体保持部は、スリット開口部から左右方向に延びており、スリット開口部と対向する紐状体保持部の表面は、平滑であり、紐状体保持部の表面のうち、スリット開口部に隣接する位置には突出部が設けられている。
【００５０】
また、本発明の一形態に係る物品は、上記の係止具を備える。
【００５１】
このような形態によれば、紐状体を挿入するスリット開口部を有し、紐状体を保持する紐状体保持部がスリット開口部から左右方向に延びている。また、スリット開口部と対向する紐状体保持部の表面は平滑となっている。従って、紐状体をスリット開口部から挿入して紐状体が紐状体保持部の平滑な面に接触すると、紐状体は、当該平滑な面から左方向及び右方向にスムーズに移動する。このように、紐状体をスリット開口部から左右方向に延びる紐状体保持部にスムーズに移動させて紐状体を保持することができるので、係止具に紐状体を容易に取り付けることができる。また、紐状体保持部の表面のうちスリット開口部に隣接する位置には、突出部が設けられている。この突出部によって紐状体は紐状体保持部に引っ掛かって保持されることとなるので、紐状体保持部で保持された紐状体は、スリット開口部に入り込みにくくなる。従って、紐状体を紐状体保持部から抜けにくくすることができる。
【００５２】
別の側面に係る係止具では、紐状体保持部の表面には、更に凸部が設けられていてもよい。
【００５３】
この場合、紐状体保持部における紐状体の保持は、凸部が紐状体に当接することによって行われる。従って、紐状体保持部の表面に設けられた凸部が紐状体に当接して、紐状体の左右方向（紐状体保持部が延びる方向）及び前後方向（紐状体の長手方向）への動きを制限し、この凸部によって紐状体が前後左右に滑りにくくなる（紐状体の動きが制限される）。よって、紐状体の長さ調整（調節）を的確に行える。
【００５４】
別の形態に係る係止具では、突出部の高さは、凸部の高さよりも高くてもよい。
【００５５】
この場合、スリット開口部に隣接する位置に設けられる突出部の高さが凸部の高さよりも高く、この突出部が紐状体に当接する。従って、ある態様の紐状体と組み合わせた場合、紐状体が前後左右に滑りにくくなると共に、紐状体保持部に引っ掛かって保持されるため、紐状体をスリット開口部からより効果的に抜けにくくする。
【００５６】
別の形態に係る係止具では、係止具は、物品に固定される固定部を有し、固定部により係止具が物品に固定されたとき、スリット開口部及び紐状体保持部が物品から離間する形状を有してもよい。
【００５７】
この場合には、スリット開口部が物品から離間した位置に設けられることとなり、紐状体は物品から離間した位置でスリット開口部に通される。従って、紐状体が物品に干渉しにくくなるので、紐状体をスリット開口部に通しやすくすることができる。
【００５８】
別の形態に係る係止具では、スリット開口部は、紐状体挿入部と紐状体案内部とを有し、紐状体案内部の幅は、紐状体保持部の幅よりも狭くてもよい。
【００５９】
この場合、紐状体保持部に保持された紐状体が紐状体案内部に入り込みにくくなるので、紐状体は、紐状体案内部から抜けにくくなる。ここで、紐状体が弾性特性を有するときには、引っ張った状態の紐状体の厚さは、引っ張っていない状態の紐状体の厚さよりも薄い。よって、例えば、引っ張った状態の紐状体の厚さを紐状体案内部の幅よりも薄くすると共に、引っ張っていない状態の紐状体の厚さを紐状体案内部の幅よりも厚くすることにより、引っ張っていない状態の紐状体が紐状体案内部に入り込むことを防ぐことが可能となる。従って、特に紐状体が弾性特性を有するときに一層確実に紐状体を抜けにくくすることができる。
【００６０】
別の形態に係る物品では、物品は、マスクであってもよい。
【００６１】
この場合、紐状体が紐状体保持部に保持された状態において、紐状体を紐状体保持部の貫通方向にスムーズに動かすことができる。よって、例えば着用者がマスクを装着した状態で紐状体の長さ調整を簡単に行うことができる。そして、着用者の顔への痛みを簡単に軽減することができ、快適なマスクの装着を容易に実現させることができる。更に、紐状体の前後左右への動きを制限できる場合には、紐状体の長さ調整（調節）を的確に行うことができ、マスクのフィット感が損なわれないという効果が得られる。
【００６２】
また、紐状体を係止具から抜けにくくすることができるので、マスクの着脱時における紐状体の抜けを抑制することができ、更に、紐状体の長さ調節時における紐状体の抜けを抑制することもできる。従って、マスクの着用者からの落下を抑制することができるので、着用者が再度マスクを着用しなければならないといった手間を無くすことができる。また、紐状体の取り付けを容易に行えるので、機械で簡単に紐状体を係止具に係止させることができ、単位時間当たりのマスクの生産個数を増やすことができる。従って、マスクの生産効率の向上にも寄与する。
【００６３】
以上、本発明をその実施形態に基づいて詳細に説明した。しかし、本発明は上記実施形態に限定されるものではない。本発明は、特許請求の範囲で示される要旨を逸脱しない範囲で様々な変形が可能である。
【符号の説明】
【００６４】
１…マスク（物品）、３…紐状体、５…係止具、６…固定部、１０…スリット開口部、１１…紐状体挿入部、１２…紐状体案内部、２０…紐状体保持部、２０ａ…表面、２１ｂ，２２ｂ…突出部、２１ｃ，２２ｃ…凸部、Ｈ１，Ｈ２，Ｈ３，Ｈ４…高さ、Ｌ２，Ｌ３…幅。
【図１】
2016131644.tif 000003
【図２】
2016131644.tif 000004
【図３】
2016131644.tif 000005
【図４】
2016131644.tif 000006
【図５】
2016131644.tif 000007
【図６】
2016131644.tif 000008